(57)【要約】【課題】補強板金の形状を、小型化・単純化すると共に加工の簡略化を図ることができ、コジリ強度を高めることができる携帯端末装置を提供すること。【解決手段】携帯端末装置１００の筐体１１０は、ケース１２０と、ケース１２０に組み込まれる基板１３０と、基板１３０に底面側が取り付けられた外部接続コネクタ１４０と、外部接続コネクタ１４０の周囲を底面１４０ｂ以外の三方面から囲んで補強する補強板金１５０と、ケース１２０に装着されるカバー１６０と、を備える。補強板金１５０は、外部接続コネクタ１４０の底面１４０ｂ以外の周囲を外形近似した折曲部１５０ａ−１５０ｄを有する。また、ケース１２０、補強板金１５０、基板１３０、及びカバー１６０は、ネジ１０１により共締めして固定される。【選択図】図１
2012209883.tif 000002
【特許請求の範囲】
【請求項１】
筐体と、
前記筐体に収容される基板と、
外形が略直方体で、一つの面に外部端子を差込み可能な差込口を有し、前記差込口が設けられた面と直交する一つの面である底面が、前記基板に固定された外部接続コネクタと、
前記外部接続コネクタの前記底面以外の周囲を囲んで補強する補強板金と、
を備える携帯端末装置。
【請求項２】
前記補強板金は、前記外部接続コネクタの前記底面以外の周囲を外形近似して折り曲げた折曲部を有する、
請求項１記載の携帯端末装置。
【請求項３】
前記筐体と前記基板と前記補強板金とは、ネジにより共締めされる、
請求項１記載の携帯端末装置。
【請求項４】
前記筐体に嵌め合わされる第２筐体を備え、
前記筐体と前記基板と前記補強板金と前記第２筐体とは、ネジにより共締めされる、
請求項１記載の携帯端末装置。
【請求項５】
前記外部接続コネクタは、前記底面と、該底面に向かい合う表面と、前記底面と前記表面との間の両側面と、を有し、
前記補強板金は、前記表面及び前記両側面を囲んで補強し、
前記補強板金は、前記両側面の直近に前記ネジを通すネジ穴を有する、
請求項３又は請求項４に記載の携帯端末装置。
【請求項６】
前記筐体は、前記補強板金を引掛けて係止する引掛け部と、
前記引掛け部による係止後、前記補強板金の脱落を防止する防止リブと、
を備える、請求項１記載の携帯端末装置。
【請求項７】
前記補強板金は、前記引掛け部に引掛かる引掛かり部と、
前記防止リブに当接するストッパ部と、
を備える、請求項６記載の携帯端末装置。
【発明の詳細な説明】
【技術分野】
【０００１】
本発明は、外部接続コネクタを有する携帯電話機などの携帯端末装置に関し、特に、外部接続コネクタの補強構造の改良に関する。
【背景技術】
【０００２】
近年、携帯電話機等の携帯端末装置では、薄型化の要求が高まっている。また、携帯端末装置には、小型で軽量の外部接続コネクタが実装される。外部接続コネクタは、機器の外部から、プラグの抜き差しが行われる。特に、小型な外部接続コネクタは、強度が弱く、コンタクト（ソケット端子）や周囲配線や周囲部品が緩み変形し、断線する虞がある。
【０００３】
特許文献１には、外部接続コネクタとは別体の補強板金を用いて、電子機器の筐体に実装された外部接続コネクタを補強する外部接続コネクタの補強構造が記載されている。特許文献１記載の外部接続コネクタの補強構造は、外部接続コネクタを別体の補強板金で押さえ、電子機器の角部ネジにより筐体と共締めする。補強板金は端部を折り曲げ加工し、内側は突起加工したボスにより左右上下に当て部を設けた構造としている。
【先行技術文献】
【特許文献】
【０００４】
【特許文献１】特開２００８−１９９２２９号公報
【発明の概要】
【発明が解決しようとする課題】
【０００５】
しかしながら、特許文献１記載の外部接続コネクタの補強構造は、補強板金が大きいばかりか、その形状及び構造が複雑で、さらに上記補強板金の筐体への取付け方法も記載されていない。
【０００６】
このため、外部接続コネクタの補強のためだけに、小型・薄型化が求められる携帯端末装置に、上記補強板金を実装することは考え難い。具体的には、長大な上記補強板金を、筐体に取り付けるためのネジ止め／ネジ受けなど新たな構造の付加によるコストアップ、上記補強板金が筐体内を専有することによる設置スペースの確保、長大な上記補強板金が設置されることによるアンテナ感度の低下やノイズ増大の課題がある。
【０００７】
以上に加えて、特許文献１記載の外部接続コネクタの補強構造は、プラグの抜き差しについては記載されているものの、外部接続コネクタにプラグを挿した状態で、プラグを上下左右に少し振る、いわゆる抉り（コジリ）については記載がない。コジリ強度を強化するには、上記補強板金を精度良く加工する必要がある。特許文献１記載の外部接続コネクタの補強構造は、コジリに強い構造にはなっていない。上記補強板金の加工に困難性があることも、コジリ強化を妨げている。
【０００８】
なお、以下の説明において、外部接続コネクタにプラグを挿した状態で、プラグを上下左右などプラグ抜差しと違う方向に力を加え、その結果、プラグがプラグ抜差しと違う方向に動く状態を、コジリと呼ぶことにする。また、コジリ強度とは、プラグ抜差しと違う方向に力を加えても、コジリが生じない限界強さをいうものとする。
【０００９】
本発明の目的は、補強板金の形状を、小型化・単純化すると共に加工の簡略化を図ることができ、コジリ強度を高めることができる携帯端末装置を提供することである。
【課題を解決するための手段】
【００１０】
本発明の携帯端末装置は、筐体と、前記筐体に収容される基板と、外形が略直方体で、一つの面に外部端子を差込み可能な差込口を有し、前記差込口が設けられた面と直交する一つの面である底面が、前記基板に固定された外部接続コネクタと、前記外部接続コネクタの前記底面以外の周囲を囲んで補強する補強板金と、を備える構成を採る。
【発明の効果】
【００１１】
本発明によれば、外部接続コネクタを補強する補強板金の形状を、小型化・単純化すると共に加工の簡略化を図ることができ、コジリ強度を高めることができる。
【図面の簡単な説明】
【００１２】
【図１】本発明の一実施の形態に係る携帯端末装置の筐体の分解斜視図
【図２】上記実施の形態に係る携帯端末装置の補強板金の構成を示す斜視図
【図３】上記実施の形態に係る携帯端末装置の補強板金の外部接続コネクタへの取付けを示す斜視図
【図４】上記実施の形態に係る携帯端末装置の補強板金とケースとの取付けを示す斜視図
【図５】図４の要部拡大図
【図６】上記実施の形態に係る携帯端末装置のケースへの補強板金の取付けを示す斜視図
【図７】図６のＡ−Ａ矢視断面図
【図８】上記実施の形態に係る携帯端末装置のケースへの補強板金の取付け後の状態を示す斜視図
【図９】図８のＡ−Ａ矢視断面図
【発明を実施するための形態】
【００１３】
以下、本発明の実施の形態について図面を参照して詳細に説明する。
【００１４】
（実施の形態）
図１は、本発明の一実施の形態に係る携帯端末装置の筐体の分解斜視図である。
【００１５】
以下、本発明に係る携帯端末装置を、ＰＤＡ（Personal Digital Assistants）等の携帯情報端末で具現化する。また、カメラ付き携帯電話機／ＰＨＳ（Personal Handy-Phone System）の携帯通信端末に適用してもよい。
【００１６】
図１に示すように、携帯端末装置１００は、バータイプの筐体１１０を備える。なお、携帯端末装置１００が、折畳式携帯電話機の場合、筐体１１０は、本体側筐体である。
【００１７】
筐体１１０は、ケース１２０（第１筐体）と、ケース１２０に組み込まれる基板１３０と、基板１３０に底面１４０ｂ側が取り付けられた外部接続コネクタ１４０と、外部接続コネクタ１４０の周囲を底面１４０ｂ以外の三方面から囲んで補強する補強板金１５０と、ケース１２０に装着されるカバー１６０（第２筐体）と、を備える。
【００１８】
上記ケース１２０、基板１３０、補強板金１５０、及びカバー１６０は、ネジ１０１により共締めされる。
【００１９】
ケース１２０は、例えばＡＢＳ樹脂等の合成樹脂フレームと金属板から構成され、図示しない表示パネル、スピーカ、マイクロホン、カメラ等が搭載される。
【００２０】
基板１３０は、外部接続コネクタ１４０、及びmicroＳＤカードスロット１３１等の部品が実装されている。
【００２１】
外部接続コネクタ１４０は、差込口１４０ａと、差込口１４０ａの外周を囲う、底面１４０ｂと、底面１４０ｂに向かい合う表面１４０ｃと、底面１４０ｂと表面１４０ｃ間の側面１４０ｄ，１４０ｅと、を有する。底面１４０ｂは、基板１３０上に直付け固定されている。底面１４０ｂと表面１４０ｃは、平坦部となっている。
【００２２】
外部接続コネクタ１４０は、例えばMicroＵＳＢである。MicroＵＳＢは、ＰＣ及びその周辺機器だけでなく、携帯電話機やモバイルデバイスとのデータ送受信用に使用される。MicroＵＳＢは、MiniＵＳＢと比較して外形寸法が約半分となっている。小型化により抜き差しに対応する耐久性と外部からの加重に耐える構造であることが必要である。本実施の形態のように、外部接続コネクタ１４０が、MicroＵＳＢである場合、特にコジリ強度を確保する必要がある。なお、外部接続コネクタ１４０は、MicroＵＳＢに限定されるものではなく、MiniＵＳＢ、各種ＵＳＢ変換コネクタ、Micro HDMIコネクタなどが使用される。
【００２３】
図２は、補強板金１５０の構成を示す斜視図である。図２（ａ）は、基板１３０への取付け方向を上面と見た場合の斜視図、図２（ｂ）は、その下面から見た場合の斜視図である。
【００２４】
図２に示すように、補強板金１５０は、外部接続コネクタ１４０の、基板１３０への直付け底面１４０ｂ以外の三方面（表面１４０ｃ及び側面１４０ｄ，１４０ｅ）を外形近似して折り曲げた折曲部１５０ａ−１５０ｄと、折曲部１５０ｂと折曲部１５０ｃとの間の平坦部１５０ｅと、を有する。
【００２５】
補強板金１５０は、平坦部１５０ｅから折曲部１５０ａ−１５０ｄに直交する方向の外方に延びたストッパ部１５０ｆと、ストッパ部１５０ｆから前記折り曲げ方向に突出した引掛かり部１５０ｇと、を有する。
【００２６】
引掛かり部１５０ｇは、ケース１２０に形成された補強板金引掛け部１２２（図４参照）に挿入され、引掛かり部１５０ｇを係止させる。ストッパ部１５０ｆは、引掛かり部１５０ｇの係止後、ケース１２０に形成された補強板金脱落防止リブ１２３（図４参照）に当接して、ストッパ部１５０ｆの脱落を防止する。
【００２７】
補強板金１５０は、基板１３０にネジ止めするためのネジ穴１５０ｈ，１５０ｉを両端に有する。補強板金１５０は、外部接続コネクタ１４０が固定された基板１３０に、外部接続コネクタ１４０を覆って、ケース１２０と共にネジ１０１で共締めされる。なお、補強板金１５０は、外部接続コネクタ１４０の外周面突起に合わせた切欠部１５０ｊを有する。
【００２８】
このように、補強板金１５０は、外部接続コネクタ１４０の底面１４０ｂ以外の三方面（表面１４０ｃ及び側面１４０ｄ，１４０ｅ）を外形近似して、折曲部１５０ａ−１５０ｄにより折り曲げた構成となっている。図２から分かるように、補強板金１５０は、形状が従来例と比べ非常に単純化されている。形状が単純化されているので、加工工程も単純化されることになる。また、このような単純化された補強板金１５０は、単板を、打ち抜き・曲げ加工するだけで作成することができる。本実施の形態では、補強板金１５０の折り曲げ回数が少ないことから、加工の簡略化を図ることができる。
【００２９】
また、補強板金１５０は、外部接続コネクタ１４０の必要強度に合わせて厚さを選定することも可能である。補強板金１５０の厚さの選定は、補強板金１５０の形状、及び加工の容易性に依存する。本実施の形態では、補強板金１５０は、形状が単純化されているので、必要強度に合わせた厚さの選定することができ、適用範囲を広げることができる。
【００３０】
図３は、補強板金１５０の外部接続コネクタ１４０への取付けを示す斜視図である。図３（ａ）は、その取付け後の斜視図、図３（ｂ）は、その基板１３０への取付け方向を上面と見た場合の斜視図、図３（ｃ）は、その下面から見た場合の斜視図である。
【００３１】
図３（ｂ）（ｃ）に示すように、外部接続コネクタ１４０を、補強板金１５０と基板１３０とで挟み込み、図３（ａ）に示すように、補強板金１５０を基板１３０に固定する。補強板金１５０と基板１３０とは、図１に示すように、ネジ１０１によるケース１２０、補強板金１５０、基板１３０、及びカバー１６０を共締めして固定される。共締めに筐体（ケース１２０及びカバー１６０）を含むことにより、筐体１１０の強度を取り込んだ強度向上を図ることができる。
【００３２】
また、図３（ａ）に示すように、補強板金１５０は、外部接続コネクタ１４０の両脇直近にネジ穴１５０ｈ，１５０ｉが形成されている。補強板金１５０は、外部接続コネクタ１４０の直近にネジ穴１５０ｈ，１５０ｉを形成しているので、小型化を図ることができる。携帯電話等の電波を有する電子機器において、補強板金１５０の小型化は、アンテナ感度や、ノイズへの影響を小さくする効果がある。さらに、補強板金１５０は、外部接続コネクタ１４０の直近にネジ穴１５０ｈ，１５０ｉを形成しているので、コジリの際の補強板金１５０のたわみ変形量を少なくすることができ、強度アップを図ることができる。
【００３３】
図４は、補強板金１５０とケース１２０との取付けを示す斜視図であり、図５は、図４の要部拡大図である。図４は、ケース１２０を背面すなわち基板１２０側から見た図である。
【００３４】
図４に示すように、ケース１２０には、補強板金１５０及び外部接続コネクタ１４０を収納する収納部１２１が形成されている。収納部１２１は、補強板金１５０の引掛かり部１５０ｇが係止する補強板金引掛け部１２２と、補強板金１５０のストッパ部１５０ｆが当接する補強板金脱落防止リブ１２３と、を有する。
【００３５】
補強板金引掛け部１２２は、図５に示すように、断面コ字形状に形成されており、補強板金１５０の引掛かり部１５０ｇが挿入され、引掛かり部１５０ｇを引っ掛けて係止する。
【００３６】
補強板金脱落防止リブ１２３は、引掛かり部１５０ｇが挿入された補強板金１５０のストッパ部１５０ｆに当接して補強板金１５０の脱落を防止する。
【００３７】
図６乃至図９は、ケース１２０への補強板金１５０の取付け方法を説明する図である。図６は、ケース１２０への補強板金１５０の取付けを示す斜視図、図７は、図６のＡ−Ａ矢視断面図である。図８は、ケース１２０への補強板金１５０の取付け後の状態を示す斜視図、図９は、図８のＡ−Ａ矢視断面図である。
【００３８】
図６及び図７に示すように、ケース１２０の収納部１２１に補強板金１５０を配置する。この配置は、補強板金引掛け部１２２に、補強板金１５０の引掛かり部１５０ｇが向かい合う位置である。
【００３９】
まず、ケース１２０の補強板金引掛け部１２２に、補強板金１５０の引掛かり部１５０ｇの先端を差し込んで引っ掛ける。
【００４０】
そして、図６及び図７矢印に示すように、補強板金１５０のネジ穴１５０ｈ側を押し込むと、引掛かり部１５０ｇは、補強板金引掛け部１２２の奥まで進入し、ストッパ部１５０ｆは、補強板金脱落防止リブ１２３の面取り部分を滑って収納部１２１底部まで押し込まれる。
【００４１】
図６及び図７に示すように、ストッパ部１５０ｆが、収納部１２１底部まで押し込まれると、ケース１２０への補強板金１５０の取付けは終了する。この状態では、ストッパ部１５０ｆの端面は、ストッパ部１５０ｆの側面にほぼ垂直で当接するので、当接した面同士が簡単に離れることはない。このため、ストッパ部１５０ｆは、収納部１２１から飛び出すことはなく、補強板金１５０は、ケース１２０の収納部１２１に、確実に取り付けられた状態となる。
【００４２】
このように、補強板金１５０は、ケース１２０には簡単に取り付けられるが、抜けない構造となっている。
【００４３】
また、ケース１２０の組み立てと同時に補強板金１５０が取り付けられるので、組み立てが簡単である利点がある。また、補強板金引掛け部１２２や補強板金脱落防止リブ１２３は、ケース１２０側で構成されるので、補強板金１５０の形状は単純であり、保持のための曲げ加工も不要である。さらに、補強板金１５０は、直接ケース１２０に取り付けられるので、取り付けるための粘着テープなどの別部品が不要という利点がある。
【００４４】
以上詳細に説明したように、本実施の形態の携帯端末装置１００の筐体１１０は、ケース１２０と、ケース１２０に組み込まれる基板１３０と、基板１３０に底面側が取り付けられた外部接続コネクタ１４０と、外部接続コネクタ１４０の周囲を底面１４０ｂ以外の三方面から囲んで補強する補強板金１５０と、ケース１２０に装着されるカバー１６０と、を備える。補強板金１５０は、外部接続コネクタ１４０の底面１４０ｂ以外の周囲を外形近似した折曲部１５０ａ−１５０ｄを有する。また、ケース１２０、補強板金１５０、基板１３０、及びカバー１６０は、ネジ１０１により共締めして固定される。
【００４５】
この構成により、外部接続コネクタ１４０は、補強板金１５０で覆われ、かつ基板１３０との間で挟み押さえ込まれることで、コジリ強度を高めることができる。また、ケース１２０、補強板金１５０、基板１３０、及びカバー１６０を共締めして固定することで、筐体１１０の強度を取り込むことができ、より一層コジリ強度を向上させることができる。
【００４６】
また、補強板金１５０の形状を単純化させることができ、必要強度に合わせて厚い板金でも対応することが可能になる。
【００４７】
また、補強板金１５０が小型化されるので、本外部接続コネクタの補強構造を、携帯電話等の電波を有する電子機器に適用した場合、アンテナ感度やノイズへの影響を小さくすることができる。
【００４８】
本実施の形態では、共締めのネジ１０１の位置を、外部接続コネクタ１４０の直近に配置したので、補強板金１５０の撓みによる変形量をより少なくすることができ、コジリ強度をより一層高めることができる。
【００４９】
また、補強板金１５０は、ケース１２０の収納部１２１に、簡単に組み込まれるので、組み立て性の向上を図ることができる。因みに、基板１３０側に、補強板金１５０を取り付けようとする場合には、補強板金１５０を取り付けた基板１３０を、ケース１２０に組み込むまでの間の保持が困難である。
【００５０】
さらに、補強板金１５０を両面テープ等の別部品を用いることなく、ワンタッチで取り付けることができ、補強板金１５０の組み立て性をより一層向上させることができる。
【００５１】
以上の説明は本発明の好適な実施の形態の例証であり、本発明の範囲はこれに限定されることはない。
【００５２】
上記実施の形態では、携帯端末装置としてバータイプの携帯情報端末に適用した例について説明しているが、ＰＤＡ等の携帯情報端末に限らず携帯電話機の通信端末、パーソナルコンピュータ又はその融合された装置、さらにはＭＰ３プレーヤー、ＨＤＤプレーヤーなどの携帯機器に適用可能である。
【００５３】
また、上記実施の形態では携帯情報端末、携帯端末装置という名称を用いたが、これは説明の便宜上であり、携帯端末、電子機器、外部接続コネクタの補強構造等であってもよい。
【００５４】
さらに、上記携帯端末装置を構成する各部、例えば筐体、補強板金、筐体カバーの種類・材質、その形状及び取付方法などはどのようなものでもよい。また、補強板金は打ち抜き加工が一般的であるが、これには限定されない。
【産業上の利用可能性】
【００５５】
本発明に係る携帯端末装置は、外部接続コネクタを有する携帯電話機などの携帯端末装置の外部接続コネクタの補強を図ることができまた、携帯端末装置として携帯端末以外の各種電子機器に適用することも可能である。
【符号の説明】
【００５６】
１００  携帯端末装置
１０１  ネジ
１１０  筐体
１２０  ケース（第１筐体）
１２１  収納部
１２２  補強板金引掛け部
１２３  補強板金脱落防止リブ
１３０  基板
１４０  外部接続コネクタ
１４０ａ  差込口
１４０ｂ  底面
１４０ｃ  表面
１４０ｄ，１４０ｅ  側面
１５０  補強板金
１５０ａ−１５０ｄ  折曲部
１５０ｅ  平坦部
１５０ｆ  ストッパ部
１５０ｇ  引掛かり部
１５０ｈ，１５０ｉ  ネジ穴
１５０ｊ  切欠部
１６０  カバー（第２筐体）
【図１】
2012209883.tif 000003
【図２】
2012209883.tif 000004
【図３】
2012209883.tif 000005
【図４】
2012209883.tif 000006
【図５】
2012209883.tif 000007
【図６】
2012209883.tif 000008
【図７】
2012209883.tif 000009
【図８】
2012209883.tif 000010
【図９】
2012209883.tif 000011